(57)【特許請求の範囲】
【請求項１】
第１の端（１６）と第２の端（１７）とを有する管（１１）と、気体透過性かつ液密性であるストッパー（１２）と、を備える所定量の液状の物質を保存するためのストローであって、
前記ストッパー（１２）は、前記第１の端（１６）の近くで前記管（１１）の中に配置されるとともに、前記管（１１）の前記第１の端（１６）に対向する第１の端（１９）と前記管（１１）の前記第２の端（１７）に対向する第２の端（１８）とを有し、
前記ストッパー（１２）および前記管（１１）は、前記ストッパー（１２）がその第２の端（１８）で液状の物質（２１）と接すると、前記ストッパー（１２）が前記液状の物質（２１）の通過を遮断し、前記ストッパー（１２）が前記第１の端（１９）で押されると、前記管（１１）の中を前記管（１１）の第２の端（１７）に向かって摺動可能であるように構成されたストローにおいて、
前記管（１１）が、所定の閾値温度で色調が可逆的に変化するサーモクロミック材料で製造されることによって、前記管（１１）はその温度が前記所定の閾値よりも低いときに第１の見た目を呈し、その温度が前記所定の閾値より高いときに第１の見た目とは異なる第２の見た目を呈することを特徴とする、ストロー。
【請求項２】
前記管（１１）は、前記第１の外観および前記第２の外観を呈するときに透明または半透明であり、前記管の中にある前記ストッパーが見える状態であることを特徴とする、請求項１に記載のストロー。
【請求項３】
前記管は、滑らかな表面状態の内面を有することを特徴とする、請求項１または２に記載のストロー。
【請求項４】
前記所定の閾値は、温度上昇方向で３５℃〜３７℃であることを特徴とする、請求項１から３のいずれか１項に記載のストロー。
【請求項５】
前記所定の閾値は、温度低下方向で３２℃〜３４℃であることを特徴とする、請求項１から４のいずれか１項に記載のストロー。
【請求項６】
前記管（１１）は、色調が前記第１の外観のときに青色であり、前記第２の外観のときに無色であることを特徴とする、請求項１から５のいずれか１項に記載のストロー。
【請求項７】
前記管（１１）の材料は、サーモクロミック溶液を含有するシェルを有するマイクロカプセル（３６）を含むことを特徴とする、請求項１から６のいずれか１項に記載のストロー。
【請求項８】
前記マイクロカプセル（３６）の前記シェルは、ポリ尿素またはポリウレタンからなることを特徴とする、請求項７に記載のストロー。
【請求項９】
前記マイクロカプセル（３６）の前記シェルは、芳香族ポリイソシアネートの反応の結果であることを特徴とする、請求項８に記載のストロー。
【請求項１０】
前記サーモクロミック溶液は、溶媒としてステアリン酸メチルを含むことを特徴とする、請求項７から９のいずれか１項に記載のストロー。
【請求項１１】
前記マイクロカプセル（３６）において、シェルの割合は２０重量％〜４０重量％であることを特徴とする、請求項７から１０のいずれか１項に記載のストロー。
【請求項１２】
前記マイクロカプセル（３６）において、シェルの割合は２５重量％であることを特徴とする、請求項７から１０のいずれか１項に記載のストロー。
【請求項１３】
前記管（１１）の前記材料中における前記マイクロカプセル（３６）の割合は１．５重量％〜１０重量％であることを特徴とする、請求項７から１２のいずれか１項に記載のストロー。
【請求項１４】
前記管（１１）の前記材料中における前記マイクロカプセル（３６）の割合は２．５重量％であることを特徴とする、請求項７から１２のいずれか１項に記載のストロー。
【請求項１５】
前記管（１１）の前記材料は、ベース（３５）としてＰＶＣを含むことを特徴とする、請求項７から１４のいずれか１項に記載のストロー。
【請求項１６】
前記ストッパー（１２）は、前記物質（２１）との接触時に、前記ストッパー（１２）が液密になるように管（１１）の壁に密着する不透水性のペーストまたはゲル（１５’）に変化する粉末（１５）からなるシーリング剤（２０）を封入する繊維質の物質から作製される２つの栓（１３、１４）で形成され、前記粉末（１５）は、乾燥状態でフルオロフォアではなく水に溶解するとフルオロフォアになる塩の粉末を含むことを特徴とする、請求項１から１５のいずれか１項に記載のストロー。
【発明の詳細な説明】
【技術分野】
【０００１】
本発明は、広義には、所定量の液状の物質、特に動物の純粋な精液または希釈精液の保存に関し、具体的には、このような保存をするためのストローに関する。
【背景技術】
【０００２】
このようなストローは、管と、この管の中に配置されるストッパーとを含むことが知られている。このストッパーは通常、英国特許第６６９，２６５号に対応するフランス特許第９９５，８７８号に初めて記載された三部材型すなわち、液体に接触するとストッパーが液密になるように管壁に密着する不透水性のペーストまたはゲルに変化する粉末を封入する、繊維質の物質からなる２つの栓で形成されている。
【０００３】
これと類似のものであるが改良されたストッパーが、フランス特許出願第２  ８２４  ２５５号および同第２  ８２４  ２５６号に記載されている。
【０００４】
また、別のタイプのストッパーも知られており、例えば、欧州特許出願第０  ８７３  ７２６号に記載された疎水性微孔質材料のモノブロック円柱からなるストッパーあるいは、ＰＣＴ出願第ＷＯ２０１０／０７０５３３号に記載された、焼結された自己密閉型微孔質材料のモノブロック円柱からなるストッパーなどがある。
【０００５】
初期状態では、ストッパーは管の一端の近くにあり、充填状態では、ストローで保存すべき一定量の液体物質が、ストッパーと管の他端（ストッパーから遠い側の端）との間にくることが想定されている。
【０００６】
ストローに物質を充填するには、管の両端のうち、ストッパーに近い方を真空源と連通させるとともに、遠い方をストローに送り込まれる物質が入った容器と連通させる。
【０００７】
最初の時点でストッパーとストッパーから遠い側の管の端との間にある空気は、ストッパーを通過して吸引され、これに伴って物質が管の中でストッパーに到達するまで同じ方向に移動する。
【０００８】
必要に応じて、充填後、ストローをその一端または両端付近で封止し、冷所にて保管する。
【０００９】
ストローを空にするには、必要に応じて、封止してあった端の部分を切って解凍後、ストッパーに近い側の端から、管の中にストッパーに接する棒を通す。この棒で、ストッパーから遠い側の端に向かってストッパーをピストンのように摺動させることで、ストローの中にあった一定量の物質が排出される。
【００１０】
希釈した動物の精液、特にウシの精液を保存するのにストローを使用するとき、ストローを空にするのは、人工授精を行うためである。。
【発明の概要】
【発明が解決しようとする課題】
【００１１】
本発明は、簡単かつ便利で経済的に製造および使用できる状態を保ったまま、作業員に新たな可能性を与えるようなストローを提供することを目的とする。
【課題を解決するための手段】
【００１２】
この目的で、本発明は、第１の端と第２の端とを有する管と、気体透過性かつ液密性であるストッパーと、を備える、所定量の液状の物質を保存するためのストローであって、ストッパーは、第１の端の近くで管の中に配置されるとともに、管の第１の端に対向する第１の端と管の第２の端に対向する第２の端とを有し、前記ストッパーおよび前記管は、ストッパーがその第２の端で液状の物質と接すると、ストッパーが当該液状の物質の通過を遮断し、ストッパーが第１の端で押されると、管の中を管の第２の端に向かって摺動可能であるように構成されたストローにおいて、前記管が、所定の閾値温度で色調が可逆的に変化するサーモクロミック材料で製造されることによって、管はその温度が前記所定の閾値よりも低いときに第１の見た目を呈し、その温度が前記所定の閾値より高いときに第１の見た目とは異なる第２の見た目を呈することを特徴とする、ストローを提供する。
【００１３】
このように、ストローの管の材料は、示温コンポーネントの役割を果たす。
【００１４】
作業者は、人工授精を行うにあたって、ストローに物質が充填されているとき、ストロー内の一定量の物質が例えば３５℃より高い温度または３７℃より高い温度などの目標温度にあるか否かを上記のコンポーネントによって目視確認することができる。
【００１５】
本発明は、ストローの管の壁が薄いため、物質がある部分の管の温度と物質自体の温度が原理的に同じになり、物質の温度が所定の閾値より低ければ、その部分が第１の見た目になり、物質の温度が所定の閾値より高ければ、その部分が第２の見た目になるという観察結果に立脚したものである。
【００１６】
管が示温コンポーネントとなることから、管の長さ全体にわたって温度を確認することができる。特に、管の長さを基準にしてその一部に入っている一定量の物質の一部が所定の閾値未満であり、管の長さを基準にして別の部分に入っている一定量の物質の別の一部がこの閾値を上回っている場合、該当する２箇所における管の外観の違いから、作業者は、この差があることを把握できることになる。
【００１７】
管を形成するサーモクロミック材料の色調変化が可逆的な特徴を持つため、ストローに入った物質の温度をモニターすることができる。例えば、加温作業と作業者が人工授精の準備をする時間との間に、所定の閾値未満まで物質が冷えてしまう時間があった場合、作業者は、物質が冷えてきていることをストローの管の外観から把握できることになる。
【００１８】
コーティングやラベルなど管の材料に取り付けられるコンポーネントではなく、管の材料が示温コンポーネントの役割を果たす点が好都合であることに、注意されたい。
【００１９】
このようにすることでサーモクロミック材料と物質とを直接接触させて物質の温度を正確に反映させることができると同時に、製造（管へのストッパーの挿入）時または一定量の物質を押し出す（管の長さの大半をストッパーが摺動する）際に生じるストッパーと管との間の摩擦がゆえ、当該直接接触が引き起こし得るリスクを回避することができる。
【００２０】
また、管の長さ全体に沿って内面に示温コンポーネントを別途追加しなければならなかった場合よりも簡単かつ経済的に、ストローを製造できるようになる。
【００２１】
上述した色調変化のあるサーモクロミックにするために添加物を加えること以外、ストローの管は、例えば従来のプラスチック材料を押し出すことによって、従来の方法で製造することができる。
【００２２】
好都合な特徴によれば、前記管は、第１の外観および第２の外観を呈するときに透明または半透明であり、管の中にあるストッパーが見える状態である。
【００２３】
所定の閾値より高いか低いかを問わず、ストローの管の中にあるストッパーが見えるという特徴があるため、特に、製造時（ストッパーが管に正しく挿入されていることを確認することができる）、充填時（一定量の物質がストッパーに達したことを確認することができる）、人工授精後（ストッパーが管の第２の端に達して物質が正しく押し出されたことを確認することができる）に、ストローが完全な状態であることを確認することができる。
【００２４】
別の好都合な特徴によれば、管は、滑らかな表面状態の内面を有する。
【００２５】
ストローの管の内側が滑らかな表面状態にある（すなわち、ザラザラしていない）と、液状の物質が良好に保存され、特に、物質が希釈した動物の精液である場合に精子の生存能力に優れ、一定量の物質を押し出すための摺動時における管とストッパーとの間の密着性も高い。
【００２６】
好都合な他の特徴によれば、以下のいずれか、または複数が成り立つ。
【００２７】
−前記所定の閾値が、温度上昇方向で３５℃〜３７℃である、
−前記所定の閾値が、温度低下方向で３２℃〜３４℃である、
−管は、色調が第１の外観のときに青色であり、第２の外観のときに無色である、
−管の材料は、サーモクロミック溶液を含有するシェルを有するマイクロカプセルを含む、
−マイクロカプセルの前記シェルは、ポリ尿素またはポリウレタンからなる、
−マイクロカプセルの前記シェルは、芳香族ポリイソシアネートの反応の結果である、
−前記サーモクロミック溶液は、溶媒としてステアリン酸メチルを含む、
−前記マイクロカプセルにおける、シェルの割合は２０重量％〜４０重量％であり、好ましくは２５重量％である、
−管の材料における、マイクロカプセルの割合は１．５重量％〜１０重量％であり、好ましくは２．５重量％である、
−管の材料は、ベースとしてＰＶＣを含む、
−前記ストッパーは、前記物質との接触時に、ストッパーが液密になるように管の壁に密着する不透水性のペーストまたはゲルに変化する粉末からなるシーリング剤を封入する繊維質の物質からなる２つの栓で形成され、前記粉末は、乾燥状態でフルオロフォアではなく水に溶解するとフルオロフォアになる塩の粉末を含む。
【００２８】
以下、添付の図面を参照した非限定的な例による以下に示す実施形態の説明をもって、本発明の開示を継続する。
【図面の簡単な説明】
【００２９】
【図１】図１は、温度３３℃で空の状態での本発明によるストローの概略図である。
【図２】図２は、図１と同様の図であるが、充填された状態でのストローを示す図である。
【図３】温度が３８℃であること以外は図２と同様の図である。
【図４】温度が３８℃であること以外は図１と同様の図である。
【図５】ストローの管を形成するサーモクロミック材料の色調の変化を示すグラフである。
【図６】ストローの管のサーモクロミック材料の一部を示す概略図である。
【図７】ストッパーが、液状の物質と接触する前は第１の所定の色であり、この物質と接触したときに第１の色とは色調の異なる第２の所定の色になる指標コンポーネントを含む、ストローの変形例を示す図２と同様の図である。
【図８】ストッパーが、液状の物質と接触する前は第１の所定の色であり、この物質と接触したときに第１の色とは色調の異なる第２の所定の色になる指標コンポーネントを含む、ストローの変形例を示す図３と同様の図である。
【発明を実施するための形態】
【００３０】
図１に示すストロー１０は、管１１と、ストッパー１２と、を備える。
【００３１】
管１１は、押出成形されたサーモクロミックプラスチック材料であり、内径が例えば約１．６ｍｍまたは２．５ｍｍ、長さがおよそ１３３ｍｍである。
【００３２】
ストッパー１２は三部材型すなわち、粉末１５（図１）からなるシーリング剤２０を封入する、繊維質の物質からなる２つの栓１３および１４で形成され、この粉末は、液体に接触するとストッパー１２が液密になるように管１１の壁に密着する不透水性のペーストまたはゲル１５’（図２）に変化することができる。
【００３３】
図１に示す初期状態では、ストッパー１２は管１１の端１６の近くにあり、充填状態では、ストロー１０で保存すべき一定量の液状の物質が、ストッパー１２とストッパー１２から遠い側の管１１の端１７との間にくることが想定されている。
【００３４】
ストロー１０に物質を充填するには、端１６を真空源と連通させるとともに、端１７をストローに送り込まれる物質が入った容器と連通させる。
【００３５】
最初の時点でストッパー１２と端１７との間にある空気は、ストッパー１２を通過して吸引され、これに伴って管１１の端１７のほうを向いているストッパー１２の端１８すなわち、図１および図２の右側に示すストッパー１２の端を介して、物質２１（図２）が管１１の中でストッパー１２に到達するまで同じ方向に移動する。
【００３６】
こうしてストロー１０は、図２に示す充填された状態になる。
【００３７】
必要に応じて、充填後、ストローをその両端１６および１７の一方または両方付近で封止し、冷所にて保管する。
【００３８】
ストロー１０を空にするには、必要に応じて、封止してあった端の部分を切って解凍後、管１１の中に棒を通す。この棒が、ストッパー１２の端１９（端１８とは反対側にある端）に接する。
【００３９】
この棒で、端１７すなわち封止部分を切った後の端に向かってストッパー１２をピストンのように摺動させることで、ストローの中にあった一定量の物質２１が排出される。
【００４０】
図２と図３（または図１と図４）を比較すると、温度３３℃（図１および図２）と温度３８℃（図３および図４）でストロー１０の管１１の見た目が異なることがわかるであろう。
【００４１】
図１および図２に示す第１の見た目と、第１の見た目とは異なる図３および図４に示す第２の見た目との間でこうした変化が生じるのは、管１１が、所定の閾値温度で色調が変わるサーモクロミック材料からなるためである。
【００４２】
本明細書において、管１１のサーモクロミック材料は、その温度が色調の変わる閾値より低いときに青い色調であり、その温度が色調の変わる閾値より高いときに無色もしくはほぼ無色の色調である。
【００４３】
横軸に温度、縦軸に色調をプロットした図４において、曲線２５は、管１１を形成するサーモクロミック材料の色調の変化を示す。
【００４４】
曲線２５の点２７より左に見える部分２６からわかるように、温度が３４℃未満であるかぎり、管１１は同じ色調（第１の見た目）すなわち、青色の色調を保っている。
【００４５】
曲線２５の点２９より右に見える部分２８からわかるように、温度が３７℃を超えているかぎり、管１１は同じ色調（第２の見た目）すなわち、無色もしくはほぼ無色の色調を保っている。
【００４６】
曲線２５の点２７と点２９との間に位置する部分３０は、管の温度が３４℃（点２７）から３７℃（点２９）までの間で上昇するときの管１１の色調を示す。このような温度上昇方向を、３０の部分に矢印記号で示す。３６℃までは、管１１は青色の色調（第１の見た目）を保ち、３６℃と３７℃の間で管１１の色調が青色（第１の見た目）から無色もしくはほぼ無色（第２の見た目）に徐々に変化することがわかる。
【００４７】
曲線２５の点２９と点２７との間に位置する部分３１は、管の温度が３７℃（点２９）から３４℃（点２７）までの間で低下するときの管１１の色調を示す。このような温度低下方向を、３１の部分に矢印記号で示す。３４．２℃までは、管１１は無色もしくはほぼ無色の色調（第２の見た目）を保ち、３４．２℃と３４℃の間で管１１の色調が無色もしくはほぼ無色（第２の見た目）から青色（第１の見た目）に徐々に変化することがわかる。
【００４８】
管１１の色調の変化は可逆的であり、（点２７と２９との間の）ヒステリシスは３℃である。
【００４９】
色調変化の所定の閾値温度は、温度上昇方向で３７℃、温度低下方向で３４℃である。
【００５０】
このような色調変化のおかげで、ストロー１０の管１１の材料は、示温コンポーネントの役割を果たす。
【００５１】
作業者は、ストロー１０に物質が充填されているとき、ストロー１０内の一定量の物質２１が温度上昇方向で３７℃を超えたか否か、温度低下方向で３４℃未満になったか否かを、管１１で目視確認することができる。
【００５２】
例えば、物質２１が約３７℃で動物に注入されることになる人工授精用の精液である場合、作業者は、管１１によって、この管が透明もしくはほぼ透明であるかぎり、物質２１の温度が適切であると把握できることになる。
【００５３】
ストロー１０の管１１の壁が薄い（本明細書では、約１７０μｍ）ため、物質２１がある部分の管１１の温度は、物質の温度と同じになる。
【００５４】
実際に行う時は、物質２１は、ストロー１０を湯煎にかけることで加温される。
【００５５】
管１１全体がサーモクロミック材料で作られていることから、管１１の長さ全体で温度を確認することができる。
【００５６】
例えば、管１１の一部分だけが湯煎にかけられている場合など、管１１の長さ方向の一部に入っている一定量の物質２１の一部が３４℃未満であり、管２１の長さ方向の別の一部に入っている一定量の物質２１の別の一部が３７℃を超えている場合、該当する２箇所における管１１の外観の違いから、作業者は、この差があることを把握できることになる。
【００５７】
管１１を形成するサーモクロミック材料の色調変化が可逆的な特徴を持つため、ストローに入った物質２１の温度をモニターすることができる。例えば、湯煎での加温作業と作業者が人工授精の準備をする時間との間に、３４℃未満まで物質が冷えてしまう時間があった場合、作業者は、物質２１が冷えてきていることをストローの管１１の外観から把握できることになる。
【００５８】
ストロー１０において、コーティングやラベルなど管１１の材料に取り付けられるコンポーネントではなく、管１１の材料が示温コンポーネントの役割を果たす点が好都合であることに、注意されたい。
【００５９】
このようにすることで管１１の材料と物質２１とを直接接触させて物質の温度を正確に反映させることができると同時に、製造（管１１へのストッパー１２の挿入）時または一定量の物質２１を押し出す（管１１の長さの大半をストッパー１２が摺動する）際に生じるストッパー１２と管１１との間の摩擦がゆえ、当該直接接触が引き起こし得るリスクを回避することができる。
【００６０】
また、管１１の長さ全体に沿って内面に示温コンポーネントを別途追加しなければならなかった場合よりも簡単かつ経済的に、ストロー１０を製造できるようになる。
【００６１】
本明細書では、ストロー１０の管１１は、従来のプラスチック材料（本明細書ではＰＶＣ）が上述した色調変化のあるサーモクロミックにするための添加物を含むこと以外、このプラスチック材料を押し出すことによって従来の方法で製造することができる。
【００６２】
図６は、ストローの管のサーモクロミック材料の一部を示す。この材料は、ベース３５として無色もしくはほぼ無色のＰＶＣを含み、これに材料をサーモクロミックにするために添加剤が添加されている。
【００６３】
この添加物は、全体的に球状のマイクロカプセル３６で形成されている。各々のマイクロカプセル３６は、サーモクロミック溶液を含有するシェルを有する。
【００６４】
本明細書において、マイクロカプセル３６は、平均粒径が約５〜１０マイクロメートルである。マイクロカプセルの製造方法（界面重縮合）に付随する直径のばらつきが原因で、マイクロカプセルによっては、直径が最大２０マイクロメートルになることもある。
【００６５】
そのような大きさにすることで、マイクロカプセル３６は、圧力と温度に対して良好な耐性を持ち、管１１の製造で用いられる高温の押出作業に適したものになる。
【００６６】
なお、管１１の壁厚は約１７０マイクロメートルである。
【００６７】
マイクロカプセル３６のシェルは、ポリ尿素からなる。
【００６８】
本出願人が行った研究から、この材料が、ベース３５であるＰＶＣとの適合性が高く、無色透明であるという利点を提供することが明らかになった。これによって、各々のマイクロカプセル３６の中に存在するサーモクロミック溶液を見ることができる。
【００６９】
透明性に対する最適な結果は、芳香族ポリイソシアネートの反応の結果であるポリ尿素で得られた（脂肪族ポリイソシアネートでの結果よりも良い）。
【００７０】
また、本出願人が行った研究から、この材料には、シェルが材料中にあるマイクロカプセルを管に含むストローで保存される希釈精液に存在する精子の生存能力に影響しないという利点があることもわかっている。
【００７１】
本明細書におけるマイクロカプセル３６は、界面重縮合の公知の方法によって製造される。
【００７２】
本明細書において、マイクロカプセル３６のポリ尿素シェルが得られる化合物は、以下のとおりである。
【００７３】
−経験式Ｃ１９Ｈ３０Ｎ２Ｏ８で表され、ＣＡＳ番号５３３１７−６１−６で特定される、ＴＤＩ（トルエンジイソシアネート）を基礎とする芳香族ポリイソシアネート（割合８６．５重量％）
−経験式Ｃ２Ｈ７Ｎ３Ｏ３で表され、ＣＡＳ番号５９３−８５−１で特定される炭酸グアニジン（割合８．６重量％）
−経験式Ｈ２Ｎ−ＮＨ２−Ｈ２Ｏで表され、ＣＡＳ番号１０２１７−５２−４で特定されるヒドラジン水和物（割合４．９重量％）。
【００７４】
本明細書において、各々のマイクロカプセル３６に含有されるサーモクロミック溶液は、
−経験式Ｃ１９Ｈ３８Ｏ２で表され、ＣＡＳ番号１１２−６１−８で特定される溶媒、本明細書ではステアリン酸メチル（割合９２．８重量％）、
−経験式Ｃ１５Ｈ１６Ｏ２で表され、ＣＡＳ番号８０−０５−７で特定されるプロトンドナー（展色剤または活性剤とも呼ばれる）、本明細書ではビスフェノールＡ（割合４．８重量％）
−経験式Ｃ２６Ｈ２９Ｎ３Ｏ２で表され、ＣＡＳ番号１５５２−４２−７で特定されるロイコ色素、本明細書ではＣＶＬ（クリスタルバイオレットラクトン）（割合２．４重量％）
で構成される。
【００７５】
以上の重量で配合されるこれらの３種類の化合物のおかげで、サーモクロミック溶液は、上述した閾値温度で、青色から無色もしくはほぼ無色に色調が変化する。
【００７６】
本出願人による研究によって、これらの化合物には、この溶液を含有するマイクロカプセルを管に含むストローで保存されている希釈精液に存在する精子の生存能力に影響しないという利点があることが明らかになっている。
【００７７】
溶媒にステアリン酸メチルを用いることで、色調変化がある程度の精度になり、ヒステリシスが比較的低いという利点が生じる。
【００７８】
管１１の製造時、高温での押出によって、もともと材料に含まれていたマイクロカプセルのうち、シェルが破損するものがあることに注意されたい。結果として、マイクロカプセル３６の外にシェルの成分とサーモクロミック溶液が見出される。
【００７９】
（添加剤のマイクロカプセルの少なくとも大半が、圧力５００バール、温度１８０℃で１〜２分間という管１１の製造時における押出操作後も残るようにするために）圧力と熱に対するマイクロカプセルの耐性を良好にするために、上述したマイクロカプセルの大きさに加えて、本出願人が行った研究によって、マイクロカプセルに２５重量％の割合でシェルを用いることで、マイクロカプセルのシェルが持つ無色もしくはほぼ無色であるという特徴を維持したまま、機械強度と耐熱性の点で良好な結果が得られることが明らかになっている。
【００８０】
本出願人が行った研究から、２０％〜３０％あるいは４０％の割合でさえ、良好な結果が得られることが明らかになっている。
【００８１】
管１１のベース３５となる材料のＰＶＣを、例えばＴＨＦに事前に溶解することによって、マイクロカプセル３６の組成を分析できることに、注意されたい。この分析は、例えば、気化後のガスクロマトグラフィーによって行われる。
【００８２】
本明細書において、マイクロカプセル３６によって形成される添加剤は、管１１の材料に２．５重量％の割合で含まれる。
【００８３】
本出願人が実施した研究から、１．５％〜３．５％あるいは、１０％の割合でさえ、良好な結果が得られることが明らかになっている。
【００８４】
ストロー１０の管１１の少なくとも内側で滑らかな表面状態を得るために、管１１の高温押出による初期材料は、溶融タイプの潤滑剤を、例えば１．５重量％など一定の割合で含有する。この潤滑剤は熱によって溶融して表面に至り、よって、押出対象となる材料と押出金型との間に至る。
【００８５】
管１１の内側が滑らかな表面状態にあることで、物質２１の良好な保存、特に物質が希釈した動物の精液である場合に優れた生存能力の保持が可能になるだけでなく、一定量の物質２１を押し出すために管１１をストッパー１２に対して摺動させる際に、管１１とストッパー１２との間の液密性が達成される。
【００８６】
以下、図７および図８を参照して、図１から図４に示すストローの変形例を説明する。
【００８７】
このストロー１０の変形例では、シーリング剤２０が別のシーリング剤に代えられている。残りについては、図７および図８に示すストロー１０は、図１から図４に示すストロー１０と同じである。
【００８８】
（物質２１がなく）空のとき、図７および図８に示すストロー１０は、図１から図４に示すストロー１０と似たような外観である。
【００８９】
図１および図４と図７および図８とを比較すると、ストッパー１２は、ストロー１０が空の状態（図１および図４）と充填された状態（図７および図８）で外観が異なることがわかる。
【００９０】
ストロー１０が空の状態のとき、ストッパー１２のシーリング剤２０（粉末１５）は第１の色であり、ストロー１０に物質が充填された状態のとき、シーリング剤２０（ゲル１５’）は第２の色である。
【００９１】
ここでは、第１の色の色調（空の状態）は茶色っぽい白であるのに対し、第２の色の色調（充填状態）は緑がかった黄色である。
【００９２】
例えば、無色もしくはほぼ無色の管１１を通して見える粉末１５（図４）は、Ｐａｎｔｏｎｅ（登録商標）  １５５Ｕの色であり、無色もしくはほぼ無色の管１１を通して見えるゲル１５’（図８）は、Ｐａｎｔｏｎｅ（登録商標）  ３９５Ｃの色である。
【００９３】
ここで、色の色調は、その色の物体から放出される光の波長（または虹のなかの色の場合は単一の波長）と対応することが想起される。色調は、色の成分のうちの１つにすぎず、光度および彩度など他のパラメーターに依存する。
【００９４】
粉末１５とゲル１５’との間の色調の変化は、シーリング剤２０に、乾燥状態と水に溶解した状態で色が変化する生成物が含まれていることによるものである。
【００９５】
ここでは、色が変化する生成物は、フルオレセインナトリウム塩である。
【００９６】
フルオレセインナトリウム塩は殺精子作用を持たないため、動物の精液と接するのに適していることに、注意されたい。
【００９７】
フルオレセインは以下の式
【００９８】
【化１】
0006529605.tif 000002
で表され、ＣＡＳ番号５１８−４７−８で特定されることが知られている。
【００９９】
また、フルオレセインナトリウム塩は、水に溶解するとフルオロフォア塩であって蛍光を放出できるが、乾燥状態では非フルオロフォア塩であることも知られている。
【０１００】
ストッパー１２のシーリング剤２０が乾燥状態（粉末１５）のとき、フルオレセインナトリウム塩は、乾燥状態であるがゆえに蛍光を放出しない。ストッパー１２のシーリング剤２０が湿った状態（ゲル１５’）になると、フルオレセインナトリウム塩は、ゲル１５’に含まれる水に溶解し、蛍光を放出する。
【０１０１】
シーリング剤２０の色調が変化するのは、蛍光が加わるからである。
【０１０２】
フルオレセインナトリウム塩が存在するおかげで、シーリング剤２０は、ストッパー１２と物質２１との接触を示す指標コンポーネントとなる。シーリング剤２０は、物質２１と接触する前の状態のときに第１の所定の色であり、シーリング剤２０が物質２１と接触しているときには、第１の色とは色調の異なる第２の所定の色である。
【０１０３】
図７および図８に示すように、ストッパー１２が湿った状態のときに、栓１３の一部がゲル１５’と同じ色調になっていることが観察される。
【０１０４】
実際、ストローに物質を充填する際、物質２１が粉末１５に達する瞬間と粉末１５が液密のゲル１５’に変化する瞬間との間に、物質２１に溶解したがゲル化にまでは至っていない少量の粉末１５が、栓１３に吸収されている。
【０１０５】
シーリング剤２０によって形成されている、物質２１との接触を示す指標コンポーネントは、ストロー１０の適切な充填を制御するのに有用であり、特にストッパー１２が物質２１によって適切に湿ったことを確認するのに有用である。
【０１０６】
ストロー１０に入った一定量の物質２１を良好に保存するには、ストッパー１２が適切に湿っていることが非常に重要であることが知られている。実際、ストロー１０の両端が封止されていない場合や、ストッパー１２から遠い側の端１７だけが封止されている場合、ストロー１０の密封状態がストッパー１２によって完全に保証されるわけではない。
【０１０７】
ストロー１０を空にするにあたって、充填時にストッパー１２が適切に湿っていれば、管１１とストッパー１２との間で物質が漏れることなくストッパー１２がピストンの役割を果たすことができる。
【０１０８】
管１１が透明または半透明であるという特徴のおかげで、作業者は、ストッパー１２のシーリング剤２０が第２の所定の色の色調すなわち本実施形態では緑がかった黄色の色調を帯びていることを確認するだけで、ストローの良好な充填を目視で制御することができる。
【０１０９】
ストロー１０の良好な充填については、自動的に制御することも可能である。
【０１１０】
実際に行う時は、充填は３４℃未満の室温で行われ、管１１の青色の色調（第１の外観）が正しい充填の制御のために考慮される。
【０１１１】
ストッパー１２の図示の例では、粉末１５は、重量で１／１０００の乾燥状態のフルオレセインナトリウム塩粉末を含む。
【０１１２】
本発明を実施するのに適した範囲は、重量で１／１００から１／１０００００の乾燥状態のフルオレセインナトリウム塩粉末である。
【０１１３】
この範囲は１／５００から１／５００００であるほうが有利であり、１／１０００から１／２５０００であるほうがさらに有利である。
【０１１４】
良好な均一性を得るために、粉末１５は、連続混合によって調製される。
【０１１５】
図示したストッパー１２の例では、粉末１５は、乾燥状態のフルオレセインナトリウム塩粉末と、水との接触時に重合する粉末材料だけで構成される。
【０１１６】
ここで、水との接触時に重合する粉末材料は、アルジネートである。
【０１１７】
シーリング剤２０の変形例では、乾燥状態のフルオレセインのナトリウム塩粉末の代わりに、乾燥状態ではフルオロフォアではないが、水に溶解するとフルオロフォアになる別の生成物を使用し、この生成物は、乾燥状態で塩の形状である。
【０１１８】
これは、例えば、別のフルオレセイン塩であるローダミンＢの塩、ローダミン６Ｇの塩および／またはエリオクロム（登録商標）シアニンＲの塩である。
【０１１９】
ローダミンＢは、以下の式
【０１２０】
【化２】
0006529605.tif 000003
で表され、ＣＡＳ番号８１−８８−９で特定されることが知られている。
【０１２１】
ローダミン６Ｇは、以下の式
【０１２２】
【化３】
0006529605.tif 000004
で表され、ＣＡＳ番号９８９−３８−８で特定されることが知られている。
【０１２３】
エリオクロム（登録商標）シアニンＲは、以下の式
【０１２４】
【化４】
0006529605.tif 000005
で表され、ＣＡＳ番号６４−１８−９で識別されることが知られている。
【０１２５】
湿ったシーリング剤２０（ゲル１５’）を含むフルオロフォア剤は、フルオロセイン、ローダミン６Ｇ、ローダミンＢの混合物によって形成されてもよいし、これらの生成物単独または２種類で形成されてもよい。
【０１２６】
これらの生成物を１つ以上選択することで、湿った状態でのシーリング剤２０（ゲル１５’）の色調を調節可能である。シーリング剤２０が物質と接触しているときの色調の選択肢に応じて、ストロー１０を目視または放出される光の波長域の分析によって認識することができる。
【０１２７】
図示しない変形例では、シーリング剤２０は、１種類以上のフルオロフォア剤に加えて、着色剤も含む。
【０１２８】
フルオロフォア剤とは異なり、着色剤は、所定の波長にピークを有する山型の波長ではなく、同じ強度を有する比較的広い波長範囲を有する光を放出することが、知られている。
【０１２９】
フルオロフォア剤の波長域と着色剤の波長域との組み合わせは、ストローの出所を見分ける品質のために有用な場合がある。
【０１３０】
フルオロフォアではない着色剤は、例えば、メチレンブルーまたはアズリンブルー（ｂｌｅｕ  ｄｅ  ｌ’α−ｚｕｒｉｎｅ）である。
【０１３１】
このような着色用生成物は、乾燥状態のとき、例えば割合が少ない乾燥状態のシーリング剤２０（粉末１５）の形では、シーリング剤を形成している他の生成物、例えばアルジネート粉末の色に影響しないか、影響するとしてもわずかである。一方、シーリング剤が湿ると、着色用生成物は、その色をシーリング剤の残りの部分、例えばゲル１５’に伝える。
【０１３２】
あるいは、シーリング剤２０の色の変化は、例えば希釈剤に含まれる生成物や動物の精液用の精液保存剤など、水以外の液体との接触時に起こる。
【０１３３】
図７および図８に示すストロー１０の変形例のシーリング剤２０をさらに詳細に説明するには、フランス特許出願第３０１１７３１号および同第３０１１７３２号を参照することができる。
【０１３４】
図示しない変形例では、管１１のベース３５となる材料は無色透明ではなく有色透明であり、例えばピンク色（第１の外観が紫色の色調で第２の外観がピンク色の色調である）または黄色（第１の外観が緑の色調で第２の外観が黄色の色調）である。
【０１３５】
別の図示しない変形例では、色調変化の閾値は、３７℃以外の値、例えば充填後かつ液体窒素中での冷凍前のストローの平衡化段階で推奨される温度に相当する４℃あるいは、有効な冷凍を保証する最大温度である−１２０℃に設定されるおよび／またはサーモクロミック材料が、例えば−１２０℃、４℃、３７℃に設定されるなど何通りかの色調変化をするように設計される。
【０１３６】
あるいは、標的値３７℃に代えて標的値を３５℃とする。その場合、見た目が変化する閾値は、温度上昇方向で３５℃、温度低下方向で３２℃である。
【０１３７】
図示しない変形例では、１１などの管のベースとなる材料はＰＶＣ以外のもの、例えばＳｕｒｌｙｎ（登録商標）であり、マイクロカプセルのシェルの組成物も異なり、例えば他の成分の反応の結果であるポリ尿素あるいは、芳香族ポリイソシアネートの反応などの結果であるポリウレタンであるおよび／またはサーモクロミック溶液の組成が異なり、例えば、無色もしくはほぼ無色のとき以外の状態で青色以外の色調になるＣＶＬ以外のロイコ色素を用いる。
【０１３８】
状況次第で他の多くの変形例が可能であり、この点で、本発明は、図示し説明した実施形態に限定されるわけではないことに、注意されたい。
【図１】
0006529605.tif 000006
【図２】
0006529605.tif 000007
【図３】
0006529605.tif 000008
【図４】
0006529605.tif 000009
【図５】
0006529605.tif 000010
【図６】
0006529605.tif 000011
【図７】
0006529605.tif 000012
【図８】
0006529605.tif 000013